【手続補正書】
【提出日】平成20年7月17日(2008.7.17)
【手続補正１】
【補正対象書類名】明細書
【補正対象項目名】特許請求の範囲
【補正方法】変更
【補正の内容】
【特許請求の範囲】
【請求項１】  成形（モールド）された物品を装飾する方法であって、
フロック層を有する転写体と、前記フロック層の一方の面の上にある寸法的に安定なシートと、離型接着剤によって前記寸法的に安定なシートに貼り付けられた前記フロック層と、該フロック層の反対の面の上にあり、前記転写体を成形された物品に接着する恒久接着剤の層とを準備するステップと、
前記寸法的に安定なシートを、物品を製造する型の内部に固定するステップと、
前記恒久接着剤が、成形中に溶融してフロックのまわりににじみ出ることなく、前記フロック層と樹脂との間に位置するように、前記樹脂から部品を成形するステップと、
前記型を冷却するステップと、
前記部品を排出するステップと、
前記転写体から寸法的に安定なシートを取除くステップと、
を具備していることを特徴とする方法。
【請求項２】  請求項１に記載の方法であって、
ｉ）前記樹脂が前記離型接着剤より低い溶融温度を有し、
ｉｉ）前記樹脂と前記恒久接着剤とが架橋され、
ｉｉｉ）前記フロック層が多色のフロック繊維を具備し、
ｉｖ）前記フロック層が装飾デザインを形成するフロック繊維を具備し、
ｖ）前記フロック繊維が、レーヨン，ナイロン，ポリエステルの少なくとも一つであり、
ｖｉ）前記恒久接着剤が前記樹脂と接しており、
ｖｉｉ）前記恒久接着剤が、熱硬化性ポリエステル，結合接着剤，タイコート材料，熱硬化性ポリマー或いはそれらの混合物の何れか一つである、
ことを特徴とする方法。
【請求項３】  請求項１に記載の方法であって、前記成形ステップは、更に、
前記恒久接着剤と架橋される溶融樹脂を前記型内に注入するステップと、
全体として平面状および曲面状の何れか一方の形状を有し前記恒久接着剤と接する部分の表面を形成するステップと、
を具備していることを特徴とする方法。
【請求項４】  請求項３に記載の方法であって、
注入される前記溶融樹脂が前記離型接着剤より低い融点を有し、
前記溶融樹脂は最初に第１の圧力で注入され、その第１の圧力は前記転写体が前記型の内壁からずれることを防止するに充分なだけ低く、
その後、前記第１の圧力よりも高い第２の圧力で、溶融樹脂の第２の注入を行う、
ことを特徴とする方法。
【請求項５】  請求項４に記載の方法であって、
前記樹脂を注入するステップが、反応射出成形，ブロー成形，真空成形，回転成形及びトランスファー成形から成るグループから選択される、ことを特徴とする方法。
【請求項６】  請求項１に記載の方法であって、
前記フロック層を形成するフロック繊維の間隙スペースに樹脂が侵入することを防止するステップを更に具備している、ことを特徴とする方法。
【請求項７】  請求項６に記載の方法であって、
前記防止するステップが、前記転写体の周縁のまわりに堰体（ダム）を形成するステップを具備し、
ｉ）前記堰体は前記型内に障壁（バリヤ）を位置させることによって形成され、転写体がその障壁内に位置決めされており、
ｉｉ）前記堰体は転写体の一部分であり、この堰体は転写体の周縁のまわりに結合接着剤の積上げ部分を具備しており、或いは、
ｉｉｉ）前記堰体は、溶融樹脂がフロック繊維に接触することを防止するために、少なくともフロック層の一部を取り囲む隆起した表面を具備している、
ことを特徴とする方法。
【請求項８】  請求項１に記載の方法であって、
前記転写体を、前記恒久接着剤と前記樹脂との間に位置するホットメルト接着剤層が無い非平面状で３次元形状に形成するステップを、成形ステップの前に更に具備している、ことを特徴とする方法。
【請求項９】  請求項１に記載の方法であって、
前記固定するステップが、以下の少なくとも一つを具備し、
ａ−ｉ）離型シートを前記型の内壁に固定する真空、
ａ−ｉｉ）前記成形ステップ中、前記転写体を前記型内で動かないように保つこと、及び
ａ−ｉｉｉ）前記寸法的に安定なシートと前記型との間に位置する第２の離型シート、
前記型が、以下の何れかを受け合う窪みを具備している、
ｂ−ｉ）前記フロック層、或いは
ｂ−ｉｉ）前記転写体
ことを特徴とする方法。
【請求項１０】  対向する第１及び第２の端部を有するフロック繊維を具備するフロック層と、
前記フロック繊維の第２の端部を結合する恒久接着剤の層と、
成形された樹脂であって、前記恒久接着剤の層が前記フロック層と成形された樹脂との間に位置し、前記樹脂と恒久接着剤の各々がポリマーで成り、成形前の前記フロック層の向きは成形後のフロック層の向きと実質的に同じである、樹脂と、
を具備していることを特徴とする成形品。
【請求項１１】  請求項１０に記載の成形品であって、
ｉ）前記樹脂が前記離型接着剤より低い溶融温度を有し、
ｉｉ）前記樹脂と前記恒久接着剤とが架橋され、
ｉｉｉ）前記フロック層が多色のフロック繊維を具備し、
ｉｖ）前記フロック層が装飾デザインを形成するフロック繊維を具備し、
ｖ）前記フロック繊維が、レーヨン，ナイロン，ポリエステルの少なくとも一つであり、
ｖｉ）前記恒久接着剤が前記樹脂と接しており、
ｖｉｉ）前記恒久接着剤が、熱硬化性ポリエステル，結合接着剤，タイコート材料，熱硬化性ポリマー或いはそれらの混合物の何れか一つである、
ことを特徴とする成形品。
【手続補正２】
【補正対象書類名】明細書
【補正対象項目名】０００８
【補正方法】変更
【補正の内容】
【０００８】
レイヨン又は他のナイロン、ポリエステル又は同様のどんな種類の伝導性仕上げの材料であってもいいフロック１２が、在来の静電的手段、振動、空気流又は重力のような在来の何等かの仕方で接着剤１０に塗着されている。フロック１２を接着剤１０に塗着する方法は、転写体が１色であるか多色であるかや、転写体が何らかのフロックなし装飾体を備えているか等の、行うべき転写に依存している。
【手続補正３】
【補正対象書類名】明細書
【補正対象項目名】００１１
【補正方法】変更
【補正の内容】
【００１１】
図１および図２には、成形工程中での成形品６に対する転写体２の取付けを示してある。転写体２は感圧接着剤１２を用いて金型４に位置決めされている。真空の利用等の、他の方法を用いて成形操作中に転写体２を金型４の所定位置に保持することもできる。金型本体を貫通する真空孔１８を金型４に示してある。
【手続補正４】
【補正対象書類名】明細書
【補正対象項目名】００１６
【補正方法】変更
【補正の内容】
【００１６】
金型は他の何らかの従来法でも冷却することができる。樹脂が冷えるに伴い、これが固化して結合剤１４に対する恒久的接着を形成する。部品が充分に冷却されると金型が開いて部品が排出される。最後に離型シート８および離型接着剤１０が剥がされ、繊維１２が、新たに成形された部品上に完成したフロック加工された表面として現れる。
【手続補正５】
【補正対象書類名】明細書
【補正対象項目名】００１９
【補正方法】変更
【補正の内容】
【００１９】
転写体のフロックが繊維間に空隙を形成するので、金型と転写体の周縁との間に障壁（バリヤー）を形成して、金型への樹脂の注入中に樹脂がこれらの空隙に侵入することを防止することは望ましい。図３に示すように、障壁４０が転写体４２のまわりに形成されていても良い。障壁４０は、転写体の縁のまわりに余分の結合接着剤１４を供給することによってフロック転写体の製造中に形成できる。余分の結合接着剤１４は転写体の周縁のまわりにリブすなわち堰体を形成することになる。
【手続補正６】
【補正対象書類名】明細書
【補正対象項目名】００２０
【補正方法】変更
【補正の内容】
【００２０】
あるいは、図４に示すように、転写体が金型に配置された際に転写体５４を囲む障壁５２を金型５０が備えていても良い。障壁５２は金型５０と一体の部分であっても良く、または、シリコーン、ラテックス、その他の適切な封止材料で形成された別個に追加された障壁であっても良い。